(57)【要約】      （修正有）【課題】第１レンズ群と変倍群の近軸屈折力配置を適切に規定し、高変倍比・超望遠(例えば、７倍以上の高倍率で、且つ望遠端半画角が３度以下)ながら、大型センサ(例えば１型以上)に対応する場合も小型軽量なズームレンズを提供すること。【解決手段】物体側から像側へ順に、ズーミングのためには移動しない正の屈折力の第１レンズ群Ｕ１、ズーミングに際して移動する負の屈折力の第２レンズ群Ｕ２、ズーミングに際して移動する正の屈折力の第３レンズ群Ｕ３と、少なくとも１つの正の屈折力のレンズ群と、を有するズームレンズであって、該ズームレンズの広角端での焦点距離をｆｗ、望遠端での焦点距離をｆｔ、広角端での半画角の最大値をωｗ、無限遠合焦状態における第３レンズ群から像側に配置されたレンズユニットの望遠端での横倍率の積をβｃｔ、広角端での横倍率の積をβｃｗとするとき、所定の条件を満足する構成とした。【選択図】図１
2015212723.tif 000002
【特許請求の範囲】
【請求項１】
物体側から像側へ順に、ズーミングのためには移動しない正の屈折力の第１レンズ群と、ズーミングに際して移動する負の屈折力の第２レンズ群と、ズーミングに際して移動する正の屈折力の第３レンズ群と、少なくとも１つの正の屈折力のレンズ群と、を有するズームレンズであって、
該ズームレンズの広角端での焦点距離をｆｗ、望遠端での焦点距離をｆｔ、広角端での半画角の最大値をωｗ、無限遠合焦状態における第３レンズ群から像側に配置されたレンズユニットの望遠端での横倍率の積をβｃｔ、広角端での横倍率の積をβｃｗとするとき、
０．０２＜ＬＮ｜βｃｔ／βｃｗ｜／ＬＮ（ｆｔ／ｆｗ）＜０．５０
２．０＜ｆｔ／ｆ１＜７．０
２０＜ｆｔ／（ｆｗ×ｔａｎωｗ）＜１２０
なる条件を満足することを特徴とするズームレンズ。
但し、条件式中のＬＮ（）は、括弧内の数値の自然対数を表わす。
【請求項２】
前記第１レンズ群は、少なくとも１枚の負レンズを有する正の屈折力の第１１レンズ群と、１枚の正レンズと１枚の負レンズよりなる負の屈折力の第１２レンズ群からなり、前記第１１レンズ群の焦点距離をｆ１１、前記第１２レンズ群の焦点距離をｆ１２とするとき、
−０．５０＜ｆ１１／ｆ１２＜−０．２０
なる条件を満足することを特徴とする請求項１に記載のズームレンズ。
【請求項３】
前記第３レンズ群よりも像側のレンズ群のうち、最も像側のレンズ群が、ズーミングのためには移動しない正の屈折力のレンズ群であることを特徴とする請求項１又は２に記載のズームレンズ。
【請求項４】
前記第３レンズ群よりも像側のレンズ群が、ズーミングに際して移動する正の屈折力の第４レンズ群と、ズーミングのためには移動しない正の屈折力の第５レンズ群であることを特徴とする請求項１乃至３のいずれか１項に記載のズームレンズ。
【請求項５】
前記第２レンズ群の、広角端における無限遠合焦状態での横倍率をβ２ｗとするとき、
−０．３５＜β２ｗ＜−０．１５
なる条件を満足することを特徴とする請求項１乃至４のいずれか１項に記載のズームレンズ。
【請求項６】
前記第２レンズ群を構成する凸レンズのアッベ数の平均値をν２ｐ、部分分散比の平均値をθ２ｐ、凹レンズのアッベ数の平均値をν２ｎ、部分分散比の平均値をθ２ｎとしたとき、以下の式を満たすことを特徴とする請求項１乃至５のいずれか１項に記載のズームレンズ。
−８．５０×１０−4＜（θ２ｐ−θ２ｎ）／（ν２ｐ−ν２ｎ）
＜−２．００×１０−4
但し、アッベ数ν、部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）
θ＝（Ｎｇ−ＮＦ）／（ＮＦ−ＮＣ）
で表されるとする。
【請求項７】
前記第１レンズ群を構成する凸レンズのアッベ数の平均値をν１ｐ、部分分散比の平均値をθ１ｐ、凹レンズのアッベ数の平均値をν１ｎ、部分分散比の平均値をθ１ｎとしたとき、以下の式を満たすことを特徴とする請求項１乃至６のいずれか１項に記載のズームレンズ。
−１．８０×１０−3＜（θ１ｐ−θ１ｎ）／（ν１ｐ−ν１ｎ）
＜−０．８０×１０−3
但し、アッベ数ν、部分分散比θは、ｇ線における屈折率をＮｇ、Ｆ線における屈折率をＮＦ、ｄ線における屈折率をＮｄ、Ｃ線における屈折率をＮＣとしたとき、
ν＝（Ｎｄ−１）／（ＮＦ−ＮＣ）
θ＝（Ｎｇ−ＮＦ）／（ＮＦ−ＮＣ）
で表されるとする。
【請求項８】
請求項１乃至７のいずれか１項に記載のズームレンズと、前記ズームレンズによって形成された像を受光する固体撮像素子と、を有することを特徴とする撮像装置。
【発明の詳細な説明】
【技術分野】
【０００１】
本発明は、テレビカメラやビデオカメラ及び写真用カメラ、放送用テレビカメラ、映画撮影用カメラに好適なズームレンズに関し、特に大口径且つ高倍率の望遠ズームレンズに関するものである。
【背景技術】
【０００２】
テレビ等で自然番組等を撮影（例えば屋外で動物や鳥などを遠距離から撮影）する場合、高変倍比で超望遠域の焦点距離まで使え(例えば、７倍以上の高倍率で、且つ望遠端半画角が３度以下)、高い光学性能を有するズームレンズが要望されている。このような撮影においては、カメラを肩に担いで撮影する場合も多いため、より小型軽量で携帯性に優れたズームレンズが要望されている。また近年、従来からのビデオカメラや放送用テレビカメラに加え、一眼レフレックスカメラなど、スチル撮影用のカメラでも動画撮影を行う等、動画撮影の機会が増えている。動画撮影を行うレンズでは、撮影を行いながらズーム操作やフォーカス操作を行うため、これらの操作時にレンズ全長が変化する場合、その操作音がノイズとなって撮影に影響を与えるため好ましくない。そのため、第１群がズーミングに際して固定であり、フォーカスはインナーフォーカスであるズームレンズが動画撮影に適したレンズとして要求が高まっている。一般的に一眼レフレックスカメラのセンサ（撮像素子）のサイズは１型よりも大型であり、ビデオカメラや放送用テレビカメラで主に用いられる１型以下のサイズのセンサに比べ大型である。そのため、１型を超えるような大型センサに対応しながらも、携帯性や機能性に優れた、動画撮影に好適な高倍率・超望遠ズームレンズへの要望が高まっている。
【０００３】
特許文献１では、４群より構成されるズームレンズで、望遠端画角が０．７度程度、変倍比が１５倍程度であり、２／３型の放送用テレビカメラに好適な望遠ズームレンズが提案されている。
【０００４】
特許文献２では、４群より構成されるズームレンズで、望遠端画角が１．６度程度で変倍比が３倍程度のズームレンズが提案されている。
【先行技術文献】
【特許文献】
【０００５】
【特許文献１】特開２００７−１３９８５８号公報
【特許文献２】特開２００４−０８５８４６号公報
【発明の概要】
【発明が解決しようとする課題】
【０００６】
特許文献１のズームレンズに対し、更に大きな撮像素子に対応し、大口径比を維持しながら高変倍比化を行う際の課題として、変倍群よりも像側の有効径が増大してしまうため、レンズ全体の小型化が難しい。
【０００７】
特許文献２のズームレンズに対し、更に高変倍比化を行う際の課題として、像面補正のための第３群の移動量の抑制が難しく、加えて第１群のレンズ全厚が大きいため、レンズ全体の小型化が難しい。
【０００８】
本発明は、第１レンズ群と変倍群の近軸屈折力配置を適切に規定し、高変倍比・超望遠(例えば、７倍以上の高倍率で、望遠端半画角が３度以下)ながら、大型センサ(例えば１型以上)に対応する場合も小型軽量なズームレンズを提供することを目的とする。
【課題を解決するための手段】
【０００９】
上記目的を達成するために、本発明のズームレンズは、物体側から順に、ズーミングのためには移動しない正の屈折力の第１レンズ群、ズーミングに際して移動する負の屈折力の第２レンズ群、ズーミングに際して移動する正の屈折力の第３レンズ群と、少なくとも１つの正の屈折力のレンズ群と、を有するズームレンズであって、該ズームレンズの広角端での焦点距離をｆｗ、望遠端での焦点距離をｆｔ、広角端での半画角の最大値をωｗ、無限遠合焦状態における第３レンズ群から像側に配置されたレンズユニットの望遠端での横倍率の積をβｃｔ、広角端での横倍率の積をβｃｗとするとき、
０．０２＜ＬＮ｜βｃｔ／βｃｗ｜／ＬＮ（ｆｔ／ｆｗ）＜０．５０
２．０＜ｆｔ／ｆ１＜７．０
２０＜ｆｔ／(ｆｗ×ｔａｎωｗ)＜１２０
なる条件を満足することを特徴とする。但し、条件式中のＬＮ（）は、括弧内の数値の自然対数を表わす。
【発明の効果】
【００１０】
本発明によれば、高変倍比・超望遠(例えば、７倍以上の高倍率で、且つ望遠端半画角が３度以下)ながら、大型センサ(例えば１型以上)に対応する場合も小型軽量なズームレンズを達成することができる。
【図面の簡単な説明】
【００１１】
【図１】実施例１のズームレンズの無限遠合焦状態の広角端におけるレンズ断面図である。
【図２】実施例１のズームレンズの広角端・無限遠合焦時（Ａ）、焦点距離２００ｍｍ・無限遠合焦時（Ｂ）、望遠端で無限遠合焦時（Ｃ）の縦収差図である。
【図３】実施例２のズームレンズの無限遠合焦時の広角端におけるレンズ断面図である。
【図４】実施例２のズームレンズの広角端・無限遠合焦時（Ａ）、焦点距離２４０ｍｍ・無限遠合焦時（Ｂ）、望遠端で無限遠合焦時（Ｃ）の縦収差図である。
【図５】実施例３のズームレンズの無限遠合焦時の広角端におけるレンズ断面図である。
【図６】実施例３のズームレンズの広角端・無限遠合焦時（Ａ）、焦点距離２００ｍｍ・無限遠合焦時（Ｂ）、望遠端で無限遠合焦時（Ｃ）の縦収差図である。
【図７】実施例４のズームレンズの無限遠合焦時の広角端におけるレンズ断面図である。
【図８】実施例４のズームレンズの広角端・無限遠合焦時（Ａ）、焦点距離２００ｍｍ・無限遠合焦時（Ｂ）、望遠端で無限遠合焦時（Ｃ）の縦収差図である。
【図９】実施例５のズームレンズの無限遠合焦時の広角端におけるレンズ断面図である。
【図１０】実施例５のズームレンズの広角端・無限遠合焦時（Ａ）、焦点距離５００ｍｍ・無限遠合焦時（Ｂ）、望遠端で無限遠合焦時（Ｃ）の縦収差図である。
【図１１】実施例６のズームレンズの無限遠合焦時の広角端におけるレンズ断面図である。
【図１２】実施例６のズームレンズの広角端・無限遠合焦時（Ａ）、焦点距離４００ｍｍ・無限遠合焦時（Ｂ）、望遠端で無限遠合焦時（Ｃ）の縦収差図である。
【図１３】本発明の撮像装置の要部概略図である。
【図１４】本発明の第１レンズ群の近軸屈折力配置の模式図である。
【図１５】負レンズ群の倍率色収差の２色の色収差補正と２次スペクトル残存に関する模式図である。
【図１６】正レンズ群の軸上色収差の２色の色収差補正と２次スペクトル残存に関する模式図である。
【発明を実施するための形態】
【００１２】
以下に、本発明の実施の形態を、添付の図面に基づいて詳細に説明する。本発明のズームレンズは、物体側から像側へ順に、ズーミングのためには移動しない正の第１レンズ群を有する。更に、ズーミングに際して移動する負の屈折力の第２レンズ群、ズーミングに際して移動する正の第３レンズ群、少なくとも１つ以上の正のレンズ群、を有する。ここでレンズ群がズーミングのためには移動しないというのは、レンズ群がズーミングを行う目的で駆動されることは無いが、ズーミングとフォーカシングとを同時に行う場合があれば、フォーカシングのために移動することはあり得るということである。
【００１３】
各実施例のズームレンズは、第１レンズ群の焦点距離と、望遠端におけるレンズ全体の焦点距離の関係や、第２レンズ群以降の変倍分担比を適切に規定することで、高変倍比・超望遠のズームレンズながら、大型センサに対応する場合も小型軽量化を実現している。尚、本明細文中にあるセンサの型とは、撮像管の撮像面サイズに相当し、一般的に２／３型では対角長が１１ｍｍ、１型では１６ｍｍである。
【００１４】
具体的には、本発明のズームレンズは、物体側から像側へ順に、ズーミングのためには移動しない正の第１レンズ群、ズーミングに際して移動する負の第２レンズ群、ズーミングに際して移動する正の第３レンズ群と、少なくとも１つの正のレンズ群と、を有するズームレンズである。また、レンズ全系の広角端での焦点距離をｆｗ、望遠端での焦点距離をｆｔ、広角端での半画角の最大値をωｗ、無限遠合焦状態における第３レンズ群以降のレンズユニットの望遠端での横倍率の積をβｃｔ、広角端での横倍率の積をβｃｗとするとき、
０．０２＜ＬＮ｜βｃｔ／βｃｗ｜／ＬＮ（ｆｔ／ｆｗ）＜０．５０  ・・・（１）
２．０＜ｆｔ／ｆ１＜７．０  ・・・（２）
２０＜ｆｔ／（ｆｗ×ｔａｎωｗ）＜１２０  ・・・（３）
なる条件を満足することを特徴とする。
但し、条件式中のＬＮ（）は、括弧内の数値の自然対数を表わす。
【００１５】
条件式（１）は、第２レンズ群レンズの広角端及び望遠端での横倍率β２ｗ、β２ｔ、第３レンズ群以降のレンズ群の広角端及び望遠端での横倍率の積βｃｗ、βｃｔの関係を規定し、第３レンズ群以降の群の変倍分担比を規定している。
【００１６】
条件式（１）の上限を超えると、第３レンズ群以降の変倍分担比が大きくなり過ぎる。第３レンズ群以降のレンズ群は第２レンズ群に比べ弱い屈折力で構成されるため、第３レンズ群以降で所定の変倍分担比を得るための移動量が大きくなり、レンズ全長を短くすることが困難となる。条件式（１）の下限を下回ると、第２レンズ群の移動量が大きくなり過ぎ、第２レンズ群で発生する倍率色収差や像面収差の変動が大きくなり高性能を得ることが困難となる。
【００１７】
次に条件式（２）は、第１レンズ群の焦点距離ｆ１と望遠端における焦点距離ｆｔとの比を規定している。ｆ１とｆｔが適切な関係にあることで、望遠域まで使用できるレンズにて問題となる軸上色収差と、望遠・高倍率レンズにて問題となる製造誤差により生じるズーミング時のピントずれを抑えることができる。
【００１８】
条件式（２）の上限を超えると、望遠端の焦点距離に対する第１レンズ群の焦点距離が相対的に短くなり過ぎ、望遠側における第１レンズ群の拡大倍率が大きくなり過ぎる。第１レンズ群の拡大倍率が大きい場合、第１レンズ群で発生する軸上色収差を第２レンズ群以降では補正しきれなくなり、望遠側で高性能を得ることが困難となる。更に、第２レンズ群の横倍率が相対的に大きくなる。第２レンズ群の製造誤差により第２レンズ群の諸量、ここでは特に焦点距離がずれる場合、第２レンズ群の焦点距離ずれが像面位置にも影響を及ぼす。ここで、第２レンズ群の横倍率をβ２、それ以降のレンズ群の横倍率をβｃ、第２レンズ群自体の像位置の変位量をΔｓｋ２、とすると、第２レンズ群で発生する結像位置の変動が以下の式で像面でのピントずれ量Δｓｋに拡大される。
Δｓｋ＝Δｓｋ２×（１−β２２）×βｃ２  ・・・（コ）
【００１９】
（コ）式に関し、本発明のように高倍率な望遠ズームレンズにおいて、β２及びβｃの大きさは、望遠端で共に１よりも大きくなる。そのため、第２レンズ群の横倍率が相対的に大きくなることで、第２レンズ群の製造誤差はより大きく像面位置に影響し、ズーミングによるピントずれを抑制することが難しくなり製造性に影響を与える。
【００２０】
条件式（２）の下限を下回ると、第１レンズ群の焦点距離が大きくなり過ぎ、第１レンズ群の小型化が困難になり、加えて第１レンズ群で発生する球面収差や軸上色収差が増大し、他のレンズ群での補正が困難となる。
【００２１】
次に条件式（３）は、ズームレンズの広角端における焦点距離ｆｗと広角端における半画角ωｗと、望遠端焦点距離ｆｔの関係を規定している。条件式(３)の分母のｆｗ×ｔａｎωｗは、レンズ全系として光線がケラれることなく使用することができる最大像高に相当する。
【００２２】
条件式（３）の上限を超えると、望遠端の焦点距離が相対的に長くなりすぎる。この場合、上述の条件式で規定した条件範囲内の構成では、ズーミングによるピント移動を抑えられず、更に望遠端での軸上色収差も補正することが困難となる。条件式（３）の下限を下回ると、上の条件で規定した条件範囲内の構成では、第１レンズ群の焦点距離が相対的に大きくなり、レンズの小型・軽量化が困難となる。
【００２３】
好ましくは条件式（１）乃至（３）の数値範囲を次の如く設定するのが良い。
０．０５＜ＬＮ｜βｃｔ／βｃｗ｜／ＬＮ（ｆｔ／ｆｗ）＜０．４０・・・（１ａ）
２．２＜ｆｔ／ｆ１＜６．０  ・・・（２ａ）
２５＜ｆｔ／（ｆｗ×ｔａｎωｗ）＜１１５  ・・・（３ａ）
【００２４】
各実施例において更に好ましくは、次の諸条件のうち１以上を満足するのが良い。
【００２５】
第１レンズ群は、少なくとも１枚の負レンズを有する正の第１１レンズ群と、１枚の正レンズと負レンズからなる負の第１２レンズ群から成り、各群の焦点距離をそれぞれｆ１１、ｆ１２とする。また、前記第１レンズ群の、最も物体側のレンズ面の面頂点位置から、最も像側のレンズ面の面頂点位置までの長さをＵＤ１とする。第２レンズ群の広角端、無限遠合焦状態における横倍率をβ２ｗとする。このとき、下記条件式のうち少なくとも１つを満足することが好ましい。
−０．５０＜ｆ１１／ｆ１２＜−０．２０  ・・・（４）
０．２７＜ＵＤ１／ｆ１＜０．５５  ・・・（５）
−０．３５＜β２ｗ＜−０．１５  ・・・（６）
【００２６】
条件式（４）は第１レンズ群を構成する第１１レンズ群と、第１２レンズ群の焦点距離の関係を規定している。第１１レンズ群を正、第１２レンズ群を負の屈折力で構成し、条件式（４）の条件式を満足する構成とすることで、第１レンズ群と、第２レンズ群以降でズーミングに際して移動するレンズ群の重量を軽量化することができる。図１４は、第１１レンズ群と第１２レンズ群の近軸関係を示した模式図である。図１４（ａ）、（ｂ）では、部分系の焦点距離の比に以下の関係が成り立つとする。
ｆ１１ａ／ｆ１２ａ＜ｆ１１ｂ／ｆ１２ｂ  ・・・（サ）
【００２７】
図１４（ａ）（ｂ）に示すように、第１レンズ群の像側から光軸に対して平行な光線が入射し、その光線が物体側に向かって第１２レンズ群と第１１レンズ群を通過した光線とが交わる点の光軸上の位置が、第１レンズ群の像側主点位置である。図１４（ａ）（ｂ）に上記（サ）式が成り立つとき、第１２レンズ群の焦点距離が相対的に強くなることで、図１４に示す第１２レンズ群からの射出角α’１２は大きくなり、第１１レンズ群からの射出角α’１１は小さくなる。その結果、図１４（ａ）から図１４（ｂ）のように光軸に対して平行な入射光線と第１１レンズ群からの射出光線の交点である像側主点位置は、より物体側に変位する。主点位置が物体側に変位した結果、物体側からの軸上入射光線は第１レンズ群のより物体側で収斂作用を受け、第１レンズ群の射出側レンズ群のレンズ径や、それ以降の第２レンズ群の径及び、それに続く移動群を保持する鏡筒等の径も小さくすることができる。本発明のように、倍率が高く望遠端の焦点距離が長い場合、移動群の移動量が大きく、またレンズ径自体も非常に大きくなる傾向にあるため、移動群の重量を軽量化することは携帯性向上や、レンズ駆動に必要な機能の簡略化にもつながる。
【００２８】
条件式（４）の上限を超えると、第１２レンズ群の焦点距離が相対的に短くなり過ぎ、第１レンズ群の主点が大きく物体側に変位する。その結果、第１レンズ群の物体側のレンズを通る軸外光線の光線高さが高くなり、レンズ径が大きくなるため、小型・軽量化が困難となる。条件式（４）の下限を下回ると、第１２レンズ群の焦点距離が相対的に長くなり過ぎ、第１レンズ群の主点を物体側に変位させることが難しくなる。その結果、第１レンズ群の主点を所望の値にすることができず、小型・軽量化が困難となる。
【００２９】
条件式（５）は、第１レンズ群の最も物体側の面頂点から、最も像側の面頂点までの距離ＵＤ１と、第１レンズ群の焦点距離ｆ１の関係を規定している。
【００３０】
条件式（５）の上限を超える場合、第１レンズ群の全厚が大きくなりすぎる。第１レンズ群は、レンズ中で最もレンズ径の大きいレンズ群であり第１レンズ群が大きくなるとレンズ全体の小型・軽量化が困難となる。条件式（５）の下限を下回ると、第１レンズ群の全厚が相対的に小さくなり過ぎる。この場合、第１レンズ群を構成する各レンズの屈折力が強くなり過ぎ、各レンズで発生する収差量が増大するため、特に望遠側の軸上色収差や球面収差、またコマ収差の補正が困難となる。
【００３１】
条件式（６）は、第２レンズ群の広角端、無限遠合焦時における横倍率β２ｗを規定している。
【００３２】
条件式（６）の上限を超えると、広角端での第２レンズ群の横倍率が大きくなり過ぎる。第２レンズ群の横倍率を大きくとるためには、第１レンズ群と第２レンズ群の主点間隔を大きくとる必要がある。そのため、第１レンズ群と第２レンズ群の空気間隔を大きくする必要があり、レンズ全長が長くなるため、レンズ全体の小型軽量化が困難となる。条件式（６）の下限を下回ると、第２レンズ群の広角側でズーミングする際の移動量が大きくなり、第１レンズ群と第２レンズ群が絞り面から離れるため、第１レンズ群と第２レンズ群のレンズ径が増大し、小型軽量化が困難となる。
【００３３】
更に好ましくは条件式（４）乃至（６）の数値範囲を次の如く設定するのが良い。
−０．４７＜ｆ１１／ｆ１２＜−０．２５  ・・・（４ａ）
０．２９＜ＵＤ１／ｆ１＜０．４７  ・・・（５ａ）
−０．３２＜β２ｗ＜−０．１９  ・・・（６ａ）
【００３４】
更なる本発明のズームレンズの態様として、第３レンズ群よりも像側のレンズ群を、ズーミングに際して移動する正の第４レンズ群と、ズーミングのためには移動しない正の第５レンズ群で構成することが好ましい。移動群として第４レンズ群を追加することで、ズーミング時の像面補正の自由度が高くなり、第１レンズ群への軸外入射光線の高さの制御や第３，４レンズ群への軸上入射光線の光線高さを制御できるため、更なるレンズ群の小型化が可能となる。また、第５レンズ群はズーミングのためには移動しないことで、第５レンズ群内の結像関係はズーミングで不変となるため、第５レンズ群内に防振群等の付加機能を持つレンズ群を配置することで制御を簡素化することが可能となる。加えて、第５レンズ群内に、光軸上に挿抜可能なエクステンダ等の焦点距離変換手段を設ける場合にも、近傍に移動するレンズ群が無いため簡易な機構で設けることが可能となる。
【００３５】
更なる本発明のズームレンズの態様として、第２レンズ群内に使用する光学材料の部分分散比を規定している。第２レンズ群を構成する凸レンズのアッベ数と部分分散比の平均値をν２ｐ、θ２ｐ、凹レンズのアッベ数と部分分散比の平均値をν２ｎ、θ２ｎとしたとき、
−８．５０×１０−4＜（θ２ｐ−θ２ｎ）／（ν２ｐ−ν２ｎ）
＜−２．００×１０−4  ・・・（７）
を満たしている。
【００３６】
ここで、本発明で用いている光学素子（レンズ）の材料のアッベ数と部分分散比は以下の通りである。フラウンフォーファ線のｇ線（４３５．８ｎｍ）、Ｆ線（４８６．１ｎｍ）、ｄ線（５８７．６ｎｍ）、Ｃ線（６５６．３ｎｍ）における屈折率をそれぞれＮｇ、ＮＦ、Ｎｄ、ＮＣとすると、アッベ数νｄ、ｇ線とＦ線に関する部分分散比θｇＦは以下の通りである。
νｄ＝（Ｎｄ−１）／（ＮＦ−ＮＣ）  ・・・（ア）
θｇＦ＝（Ｎｇ−ＮＦ）／（ＮＦ−ＮＣ）  ・・・（イ）
【００３７】
現存する光学材料は、アッベ数νｄに対して部分分散比θｇＦは狭い範囲に存在する。また、アッベ数νｄが小さいほど部分分散比θｇＦが大きい、アッベ数νｄが大きいほど屈折率が低い傾向を持っている。ここで、屈折力φ１、φ２、アッベ数ν１、ν２の２枚のレンズ１、２で構成される薄肉密着系の色収差補正条件は、
φ１／ν１＋φ２／ν２＝Ｅ  ・・・（ウ）
で表される。ここで、レンズ１、２の合成屈折力φは、
φ＝φ１＋φ２  ・・・（エ）
である。（ウ）式において、Ｅ＝０を満たすと、色収差においてＣ線とＦ線の結像位置が一致する。このとき、φ１、φ２は以下の式で表される。
φ１＝φ×ν１／（ν１−ν２）  ・・・（オ）
φ２＝φ×ν２／（ν１−ν２）  ・・・（カ）
【００３８】
図１５は物体面と開口絞りの間にある負の屈折力のレンズ群ＬＮによる倍率色収差の２色の色収差補正と２次スペクトル残存に関する模式図である。図１５のような負レンズ群ＬＮの色収差補正では、負レンズ１にアッベ数ν１の大きい材料、正レンズ２にアッベ数ν２の小さい材料を用いる。したがって、負レンズ１は部分分散比θ１が小さく、正レンズ２は部分分散比θ２が大きい。Ｃ線とＦ線で倍率色収差を補正すると、ｇ線の結像点が光軸から離れる方向にずれる。Ｃ線、Ｆ線に対するｇ線の倍率色収差のズレ量を２次スペクトル量ΔＹと定義すると、
ΔＹ＝（１／φ）×（θ１−θ２）／（ν１−ν２）  ・・・（キ）
で表される。倍率色収差の２次スペクトルをズーム全域に渡り良好に補正するには、倍率色収差の変動に大きな影響を持つ第２レンズ群での発生量を調節する必要がある。第２レンズ群は負の屈折力を持っており、レンズ全体での倍率色収差の２次スペクトルの変動量を良好に補正するには、第２レンズ群で発生する２次スペクトル量ΔＹを小さくするような硝材を選択する必要がある。条件式（７）の条件は、第２レンズでの倍率色収差の発生量を小さくするように規定している。条件式（７）の上限の条件が満たされないと、倍率色収差の２次スペクトルの補正には有利だが、第２レンズ群を構成する凹レンズの屈折率が低くなり、凹レンズの曲率半径が小さくなる。その結果、像面湾曲やコマ収差の高次収差が増大し、良好な光学性能の達成が困難となる。条件式（７）の下限の条件が満たされないと、倍率色収差の２次スペクトルが増加し、色収差を良好に補正することが困難となる。条件式（７）の数値範囲は次の如く設定するのが、更に好ましい。
−７．７０×１０−4＜（θ２ｐ−θ２ｎ）／（ν２ｐ−ν２ｎ）
＜−２．３０×１０−4  ・・・（７ａ）
【００３９】
さらなる本発明のズームレンズの態様として、第１レンズ群内に使用する光学材料の部分分散比を規定している。第１レンズ群を構成する凸レンズのアッベ数と部分分散比の平均値をν１ｐ、θ１ｐ、凹レンズのアッベ数と部分分散比の平均値をν１ｎ、θ１ｎとしたとき、
−１．８０×１０−3＜（θ１ｐ−θ１ｎ）／（ν１ｐ−ν１ｎ）
＜−０．８０×１０−3  ・・・（８）
を満たしている。
【００４０】
図１６は正のレンズ群ＰＬによる軸上色収差の２色の色収差補正と２次スペクトルの残存に関する模式図である。図１６において、正レンズ１にアッベ数ν１の大きい材料、負レンズ２にアッベ数ν２の小さい材料を用いる。したがって、正レンズ１は部分分散比θ１が小さく、負レンズ２は部分分散比θ２が大きくなり、Ｃ線とＦ線で軸上色収差を補正するとｇ線の結像点が像側にずれる。物体距離を無限遠として光束を入射した場合のＣ線、Ｆ線に対するｇ線の軸上色収差のズレ量を２次スペクトル量ΔＳと定義すると、
ΔＳ＝−（１／φ）×（θ１−θ２）／（ν１−ν２）  ・・・（ク）
で表される。望遠端の軸上色収差の２次スペクトルを良好に補正するには、２次スペクトルが顕著に発生する第１レンズ群の発生量を調節する必要がある。条件式（７）で規定したように本発明の好ましい形態においては、倍率色収差の２次スペクトルをズーム全域に渡り良好になるよう第２レンズ群で使用する光学材料を工夫している。その結果、第１レンズ群で使用する光学材料に関しても、適切な材料で構成しない場合、特に望遠端での軸上色収差が補正過剰になる課題が生じる。第１レンズ群は正の屈折力を持っており、望遠端の軸上色収差の２次スペクトルを良好に補正するためには、第１レンズ群で発生する２次スペクトル量ΔＳを適切な補正量となるよう材料を決めることが必要となる。条件式（８）は、望遠端の軸上色収差の補正と高い光学性能を達成するために規定している。条件式（８）の上限の条件が満たされないと、望遠端の軸上色収差の２次スペクトルの補正には有利だが、第２レンズ群を構成する凸レンズの屈折率が低くなり、第２レンズ群を構成する凸レンズの曲率半径が小さくなる。その結果、望遠端の球面収差の高次収差が増大し、良好な光学性能の達成が困難となる。条件式（８）の下限の条件が満たされないと、望遠端の軸上色収差の２次スペクトルが増加し、望遠端の色収差を良好に補正することが困難となる。条件式（８）の数値範囲は次の如く設定するのが、更に好ましい。
−１．６０×１０−3＜（θ１ｐ−θ１ｎ）／（ν１ｐ−ν１ｎ）
＜−１．００×１０−3  ・・・（８ａ）
【００４１】
以下に、本発明のズームレンズの具体的な構成について、実施例とそれに対応する数値実施例のレンズ構成を説明する。
【実施例１】
【００４２】
図１は、本発明の実施例１としての数値実施例１の広角端（短焦点距離端）で、無限遠物体に合焦しているときのレンズ断面図である。図２は、広角端で無限遠合焦時（Ａ）、焦点距離200mmのズーム位置で無限遠合焦時（Ｂ）、望遠端で無限遠合焦時（Ｃ）の収差図である。各レンズ断面図において、左方が被写体（物体）側（前方）で、右方が像側（後方）である。Ｕ１は不動の正の第１レンズ群である。Ｕ１は物体側から像側へ順に正の屈折力のＵ１１、正の屈折力のＵ１２、負の屈折力のＵ１３のサブユニットからなる。Ｕ２はズーミングに際し移動する負の屈折力の第２レンズ群であり、光軸上を像面側へ移動させることにより、広角端から望遠端へのズーミングを行っている。Ｕ３とＵ４は共にズーミングに際し移動する正の第３レンズ群および正の第４レンズ群であり、広角端から望遠端にかけて、光軸上を移動する。ＳＰは光軸方向に移動しない開口絞り、Ｕ５は不動の結像作用を有する正の第５群（リレー群）である。第５レンズ群Ｕ５内には、焦点距離変換用のコンバータ（エクステンダ）等が装着されても良い。ＩＰは像面であり、固体撮像素子やフィルム面といった撮像面に相当する。フォーカシングに関しては、Ｕ１２のような第１レンズ群の一部を光軸方向に移動させても良いし、第２レンズ群以降の移動群、若しくは固定群の一部を移動させ行っても良い。
【００４３】
各収差図において、球面収差における直線、破線、一点鎖線、二点鎖線はそれぞれｅ線，F線、C線、ｇ線である。非点収差における実線と一点鎖線はそれぞれサジタル像面(ΔＳ)，メリディオナル像面(ΔＭ)であり、倍率色収差における破線、一点鎖線、二点鎖線はそれぞれF線、C線、ｇ線である。非点収差および倍率色収差は、絞り位置における光束の中心を通る光線を主光線としたときの収差量を示している。ωは近軸での半画角、ＦｎｏはＦナンバーである。縦収差図では、球面収差は０．５ｍｍ、非点収差は０．５ｍｍ、歪曲は５％、倍率色収差は０．０５ｍｍのスケールで描かれている。尚、以下の各実施例において広角端と望遠端は第２レンズ群が機構上、光軸上を移動可能な範囲の両端に位置したときの変倍位置をいう。これらレンズ断面図と収差図に関する説明は、以降の実施例においても、特に記載の無い限り全て同じである。
【００４４】
実施例１としての数値実施例１における第１群から第４群について説明する。第１レンズ群U１は、数値実施例１において第１レンズ面〜第１４レンズ面に対応し、物体側から像側へ順に正の第１１レンズ群、正の第１２レンズ群、負の第１３レンズ群で構成されている。正の第１１レンズ群は物体側から像側へ順に２枚の正レンズと、負レンズにて構成されている。正の第１２レンズ群は物体側から像側へ順に正レンズと、正レンズと負レンズが貼り合わされた接合正レンズにて構成されており、第１２レンズ群を光軸方向に移動させることでフォーカス調整を行う。第１３レンズ群は正レンズと負レンズが貼り合わされた接合負レンズで構成されている。第２レンズ群Ｕ２は、数値実施例１において第１５レンズ面〜第２５レンズ面に対応し、物体側から像側へ順に、負レンズ、正レンズと負レンズが貼り合わされた接合負レンズ、負レンズ、正レンズ、負レンズで構成されている。第３レンズ群Ｕ３は、数値実施例１において第２６レンズ面〜第３１レンズ面に対応し、物体側から像側へ順に正レンズ、負レンズ、正レンズで構成されている。第４レンズ群Ｕ４は、数値実施例１において第３２レンズ面〜第３７レンズ面に対応し、物体側から像側へ順に、正レンズ、負レンズ、正レンズで構成されている。非球面は第２９面に用いられており、コマ収差と球面収差のズームによる変動の補正を行っている。なお、本実施例においてｆ１１は、第１１〜第１２レンズ群の無限遠合焦状態における合成焦点距離であり、ｆ１２は第１３レンズ群の焦点距離である。
【００４５】
本実施例の各条件式対応値を表１に示す。本数値実施例はいずれの条件式も満足しており、良好な光学性能を達成している。加えて、広角端焦点距離５０ｍｍ、変倍比２０倍であり、最大像高が１５．５５ｍｍと大判であり、広角端のＦナンバーが４．５、望遠端のＦナンバーが７．４と超望遠、高倍率、大口径なズームレンズでありながら小型化を達成している。
【実施例２】
【００４６】
実施例２としての数値実施例２における第１群から第４群について説明する。第１レンズ群Ｕ１は、数値実施例２において第１レンズ面〜第１３レンズ面に対応し、物体側から像側へ順に正の第１１レンズ群と負の第１２レンズ群で構成されている。正の第１１レンズ群は物体側から像側へ順に２枚の正レンズと、負レンズ、２枚の正レンズにて構成されている。第１２レンズ群は正レンズと負レンズが貼り合わされた接合負レンズで構成されており、第１２レンズ群を光軸方向に動かすことでフォーカス調整を行う。第２レンズ群Ｕ２は、数値実施例２において第１４レンズ面〜第２３レンズ面に対応し、物体側から像側へ順に、正レンズと負レンズが貼り合わされた接合負レンズと、負レンズ、正レンズと負レンズが貼り合わされた接合正レンズ、負レンズで構成されている。第３レンズ群Ｕ３は、数値実施例２において第２４レンズ面〜第２８レンズ面に対応し、物体側から像側へ順に正レンズと負レンズが貼り合わされた接合正レンズと正レンズで構成されている。第４レンズ群Ｕ４は、数値実施例２において第２９レンズ面〜第３３レンズ面に対応し、物体側から像側へ順に、正レンズ、負レンズと正レンズが貼り合わされた接合レンズで構成されている。非球面は第２７面と第２８面に用いられており、コマ収差と球面収差のズームによる変動を補正している。なお、本実施例においてｆ１１は、第１１〜第１２レンズ群の無限遠合焦状態における合成焦点距離であり、ｆ１２は第１３レンズ群の焦点距離である。
【００４７】
本実施例の各条件式対応値を表１に示す。本数値実施例はいずれの条件式も満足しており、良好な光学性能を達成している。加えて、広角端焦点距離６０ｍｍ、変倍比１５倍であり、最大像高が１５．５５ｍｍと大判であり、広角端のＦナンバーが４．５、望遠端のＦナンバーが７．０と超望遠、高倍率、大口径なズームレンズでありながら小型化を達成している。
【実施例３】
【００４８】
実施例３としての数値実施例３における第１群から第４群について説明する。第１レンズ群Ｕ１は、数値実施例３において第１レンズ面〜第１４レンズ面に対応し、物体側から像側へ順に正の第１１レンズ群、正の第１２レンズ群、負の第１３レンズ群で構成されている。正の第１１レンズ群は物体側から像側へ順に２枚の正レンズと、負レンズにて構成されている。正の第１２レンズ群は物体側から像側へ順に正レンズと、正レンズと負レンズが貼り合わされた接合正レンズにて構成されており、第１２レンズ群を光軸方向に移動させることでフォーカス調整を行う。第１３レンズ群は正レンズと負レンズが貼り合わされた接合負レンズで構成されている。第２レンズ群Ｕ２は、数値実施例３において第１５レンズ面〜第２５レンズ面に対応し、物体側から像側へ順に、２枚の負レンズ、正レンズと負レンズが貼り合わされた接合負レンズ、正レンズ、負レンズで構成されている。第３レンズ群Ｕ３は、数値実施例３において第２６レンズ面〜第３１レンズ面に対応し、物体側から像側へ順に正レンズ、負レンズ、正レンズで構成されている。第４レンズ群Ｕ４は、数値実施例３において第３２レンズ面〜第３６レンズ面に対応し、物体側から像側へ順に、正レンズ、負レンズと正レンズが貼り合わされた接合レンズで構成されている。非球面は第２９面に用いられており、コマ収差と球面収差のズームによる変動を補正している。なお、本実施例においてｆ１１は、第１１〜第１２レンズ群の無限遠合焦状態における合成焦点距離であり、ｆ１２は第１３レンズ群の焦点距離である。
【００４９】
本実施例の各条件式対応値を表１に示す。本数値実施例はいずれの条件式も満足しており、良好な光学性能を達成している。加えて、広角端焦点距離５０ｍｍ、変倍比１０倍であり、最大像高が１５．５５ｍｍと大判であり、広角端のＦナンバーが４．０、望遠端のＦナンバーが５．０と超望遠、高倍率、大口径なズームレンズでありながら小型化を達成している。
【実施例４】
【００５０】
実施例４としての数値実施例４における第１群から第４群について説明する。第１レンズ群Ｕ１は、数値実施例４において第１レンズ面〜第１４レンズ面に対応し、物体側から像側へ順に正の第１１レンズ群、正の第１２レンズ群、負の第１３レンズ群で構成されている。正の第１１レンズ群は物体側から像側へ順に２枚の正レンズと、負レンズにて構成されている。正の第１２レンズ群は物体側から像側へ順に正レンズと、正レンズと負レンズが貼り合わされた接合正レンズにて構成されており、第１２レンズ群を光軸方向に移動させることでフォーカス調整を行う。第１３レンズ群は正レンズと負レンズが貼り合わされた接合負レンズで構成されている。第２レンズ群Ｕ２は、数値実施例４において第１５レンズ面〜第２５レンズ面に対応し、物体側から像側へ順に、２枚の負レンズ、正レンズと負レンズが貼り合わされた接合負レンズ、正レンズ、負レンズで構成されている。第３レンズ群Ｕ３は、数値実施例４において第２６レンズ面〜第３１レンズ面に対応し、物体側から像側へ順に正レンズ、負レンズ、正レンズで構成されている。第４レンズ群Ｕ４は、数値実施例４において第３２レンズ面〜第３７レンズ面に対応し、物体側から像側へ順に、正レンズ、負レンズと正レンズで構成されている。非球面は第１５、２２、２９、４９面に用いられており、第１５面と２２面は、軸外収差の変動、第２９面は球面収差やコマ収差の変動、第４９面は、高像高における高次の像面収差を抑制している。なお、本実施例においてｆ１１は、第１１〜第１２レンズ群の無限遠合焦状態における合成焦点距離であり、ｆ１２は第１３レンズ群の焦点距離である。
【００５１】
本実施例の各条件式対応値を表１に示す。本数値実施例はいずれの条件式も満足しており、良好な光学性能を達成している。加えて、広角端焦点距離５０ｍｍ、変倍比２０倍であり、最大像高が２１．６４ｍｍと大判であり、広角端のＦナンバーが４．５、望遠端のＦナンバーが７．５と超望遠、高倍率、大口径なズームレンズでありながら小型化を達成している。
【実施例５】
【００５２】
実施例５としての数値実施例５における第１群から第４群について説明する。第１レンズ群Ｕ１は、数値実施例５において第１レンズ面〜第１４レンズ面に対応し、物体側から像側へ順に正の第１１レンズ群、正の第１２レンズ群、負の第１３レンズ群で構成されている。正の第１１レンズ群は物体側から像側へ順に２枚の正レンズと、負レンズにて構成されている。正の第１２レンズ群は物体側から像側へ順に正レンズと、正レンズと負レンズが貼り合わされた接合正レンズにて構成されており、第１２レンズ群を光軸方向に移動させることでフォーカス調整を行う。第１３レンズ群は正レンズと負レンズが貼り合わされた接合負レンズで構成されている。第２レンズ群Ｕ２は、数値実施例５において第１５レンズ面〜第２４レンズ面に対応し、物体側から像側へ順に、負レンズ、負レンズと正レンズが貼り合わされた接合負レンズ、負レンズと正レンズが貼り合わされた接合負レンズ、負レンズで構成されている。第３レンズ群Ｕ３は、数値実施例５において第２５レンズ面〜第３０レンズ面に対応し、物体側から像側へ順に正レンズ、負レンズ、正レンズで構成されている。第４レンズ群Ｕ４は、数値実施例５において第３１レンズ面〜第３５レンズ面に対応し、物体側から像側へ順に、正レンズ、負レンズと正レンズで構成されている。非球面は第１５、２８、３１、４２面に用いられており、第１５面は、軸外収差の変動、第２８、３１面は球面収差やコマ収差の変動、第４２面は、高像高における高次の像面収差を抑制している。なお、本実施例においてｆ１１は、第１１〜第１２レンズ群の無限遠合焦状態における合成焦点距離であり、ｆ１２は第１３レンズ群の焦点距離である。
【００５３】
本実施例の各条件式対応値を表１に示す。本数値実施例はいずれの条件式も満足しており、良好な光学性能を達成している。加えて、広角端焦点距離５０ｍｍ、変倍比３０倍であり、最大像高が１４．０ｍｍと大判であり、広角端のＦナンバーが４．５、望遠端のＦナンバーが１０．０と超望遠、高倍率、大口径なズームレンズでありながら小型化を達成している。
【実施例６】
【００５４】
実施例６としての数値実施例６における第１群から第４群について説明する。第１レンズ群Ｕ１は、数値実施例６において第１レンズ面〜第１２レンズ面に対応し、物体側から像側へ順に非常に弱い屈折力であり負の第１１レンズ群、正の第１２レンズ群で構成されている。正の第１１レンズ群は物体側から像側へ順に負レンズ、正レンズ、負レンズ、正レンズで構成されている。正の第１２レンズ群は物体側から像側へ順に２枚の正レンズで構成されており、第１２レンズ群を光軸方向に移動させることでフォーカス調整を行う。第２レンズ群Ｕ２は、数値実施例６において第１３レンズ面〜第２３レンズ面に対応し、物体側から像側へ順に、２枚の負レンズ、正レンズと負レンズが貼り合わされた接合正レンズ、負レンズ、正レンズで構成されている。第３レンズ群Ｕ３は、数値実施例６において第２４レンズ面〜第２９レンズ面に対応し、物体側から像側へ順に正レンズ、負レンズ、正レンズで構成されている。第４レンズ群Ｕ４は、数値実施例６において第３０レンズ面〜第３５レンズ面に対応し、物体側から像側へ順に、正レンズ、負レンズと正レンズで構成されている。非球面は第２７面に用いられており、第２７面は球面収差やコマ収差の変動を抑制している。なお、本実施例においてｆ１１は、第１１焦点距離であり、ｆ１２は第１２レンズ群の焦点距離である。
【００５５】
本実施例の各条件式対応値を表１に示す。本数値実施例は条件式（１）〜（３）及び条件式（５）〜（８）を満足しており、良好な光学性能を達成している。加えて、広角端焦点距離４０ｍｍ、変倍比２０倍であり、最大像高が１５．５５ｍｍと大判であり、広角端のＦナンバーが４．５、望遠端のＦナンバーが５．６と超望遠、高倍率、大口径なズームレンズでありながら小型化を達成している。
【００５６】
（数値実施例）
次に本発明の実施例１〜６に対応する数値実施例１〜６を示す。各数値実施例においてｉは物体側からの面の順序を示し、ｒｉは物体側より第ｉ番目の面の曲率半径、ｄｉは物体側より第ｉ面と第ｉ＋１番目の間隔、ｎｄｉとνｄｉは第ｉ番目の光学部材の屈折率とアッベ数である。焦点距離、Ｆナンバー、画角は、それぞれ無限遠合焦時の値を表している。ＢＦはレンズの最終面から像面までの距離を空気換算した値である。
【００５７】
尚、非球面形状は、光軸方向の座標をｘ、光軸と垂直方向の座標をｙ、基準の曲率半径をＲ、円錐常数をｋ、ｎ次の非球面係数をAnとして、以下の式で表される。但し、「e-x」は「×10-x」を意味している。尚、非球面を有するレンズ面には各表中の面番号の左側に*印を付している。
ｘ＝（ｙ2／ｒ）／｛１＋（１−ｋ×ｙ2／ｒ2）0.5｝＋A４×ｙ4＋A６×ｙ6＋A８×ｙ8＋A１０×ｙ１０＋A１２×ｙ１２
【００５８】
各実施例と前述した各条件式との対応を表１に示す。
【００５９】
（数値実施例１）
面番号      r          d         nd        vd      θgF     有効径    焦点距離
1      246.68132   17.57134   1.433870   95.10    0.5373    137.561    379.844
2     -489.49126    0.70000   1.000000    0.00    0.0000    136.362      0.000
3      251.80653   14.77425   1.433870   95.10    0.5373    130.301    419.328
4     -649.85945    1.00394   1.000000    0.00    0.0000    128.957      0.000
5     -509.36354    4.00000   1.720467   34.70    0.5834    128.865   -393.778
6      652.48261   14.44601   1.000000    0.00    0.0000    125.445      0.000
7      255.23550   10.29049   1.433870   95.10    0.5373    118.241    558.103
8    -4902.84082    0.20000   1.000000    0.00    0.0000    117.027      0.000
9      197.35639   12.59513   1.438750   94.93    0.5343    111.945    420.679
10    -2906.58993    2.50000   1.720467   34.70    0.5834    109.606   -882.774
11      821.58629    2.94687   1.000000    0.00    0.0000    107.326      0.000
12     1913.20539    6.71999   1.761821   26.52    0.6135    105.877    536.079
13     -524.31136    2.20000   1.618000   63.33    0.5441    104.412   -267.162
14      242.71285     (可変)   1.000000    0.00    0.0000     99.476      0.000
15     -860.74296    1.80000   1.816000   46.62    0.5568     50.656    -89.348
16       80.17496    3.81547   1.000000    0.00    0.0000     47.151      0.000
17      375.28281    7.31173   1.720467   34.70    0.5834     46.543     69.386
18      -57.65105    1.50000   1.595220   67.74    0.5442     45.806    -66.490
19      128.90141    4.07926   1.000000    0.00    0.0000     41.685      0.000
20      -92.43936    1.50000   1.595220   67.74    0.5442     41.683    -65.212
21       67.72717    0.10000   1.000000    0.00    0.0000     40.314      0.000
22       55.67072    6.08760   1.720467   34.70    0.5834     40.359     67.855
23     -405.29323    2.13101   1.000000    0.00    0.0000     39.833      0.000
24      -77.78064    1.40000   1.595220   67.74    0.5442     39.815    -74.269
25      103.94566     (可変)   1.000000    0.00    0.0000     38.960      0.000
26      116.76899    6.42003   1.618000   63.33    0.5441     43.512     79.194
27      -83.01992    0.02878   1.000000    0.00    0.0000     43.578      0.000
28      -86.18403    1.50000   1.834000   37.16    0.5775     43.539    -92.667
*29      803.67833    0.20000   1.000000    0.00    0.0000     43.982      0.000
30      120.27059    5.59541   1.496999   81.54    0.5374     44.453    130.541
31     -139.57348     (可変)   1.000000    0.00    0.0000     44.522      0.000
32       87.58614    4.42301   1.487490   70.23    0.5300     43.877    183.090
33     3911.73924    0.20000   1.000000    0.00    0.0000     43.479      0.000
34       86.15302    1.50000   1.720467   34.70    0.5834     42.506   -168.527
35       50.16723    1.21338   1.000000    0.00    0.0000     41.157      0.000
36       66.35327    5.30796   1.496999   81.54    0.5374     41.151    116.995
37     -468.67849     (可変)   1.000000    0.00    0.0000     40.725      0.000
38(絞り)  0.00000   10.51965   1.000000    0.00    0.0000     28.657      0.000
39      603.24912    1.40000   1.882997   40.76    0.5667     23.839    -48.954
40       40.51116    0.15000   1.000000    0.00    0.0000     23.084      0.000
41       35.62346    4.10373   1.805181   25.42    0.6161     23.101     36.637
42     -171.92350    3.92591   1.000000    0.00    0.0000     22.594      0.000
43     -109.90676    1.50000   1.910820   35.25    0.5824     20.117    -33.390
44       42.71602   33.00000   1.000000    0.00    0.0000     19.407      0.000
45       90.18955    6.39772   1.496999   81.54    0.5374     30.314     68.285
46      -53.37817    5.55492   1.000000    0.00    0.0000     30.620      0.000
47     -138.46821    4.00000   1.882997   40.76    0.5667     29.643    -36.072
48       42.24648    5.86644   1.603420   38.03    0.5835     29.852     66.251
49     -797.00609    0.15000   1.000000    0.00    0.0000     30.355      0.000
50      114.93981    7.37952   1.517417   52.43    0.5564     30.683     53.618
51      -35.98055    3.00000   1.882997   40.76    0.5667     30.879    -98.457
52      -63.53396     （BF）   1.000000    0.00    0.0000     31.927      0.000
像面        ∞  
非球面データ
第29面
K = 9.77619e+002  A 4= 1.75645e-007  A 6=-1.54674e-011  A 8=-1.21139e-012  A10= 2.79900e-015  A12=-3.45030e-018  
各種データ
ズーム比     20.00 
広角     中間     望遠
焦点距離      50.00   200.00   1000.00  
Fナンバー      4.50     4.50     7.40  
半画角        17.28     4.45     0.89  
像高          15.55    15.55    15.55  
レンズ全長   493.74   493.74   493.74  
BF            66.76    66.76    66.76  
d14            5.00    84.76   132.18  
d25          162.25    77.28     3.00  
d31           24.90     9.14    40.88  
d37            1.82    22.78    17.91  
ズームレンズ群データ
群  始面    焦点距離  
1    1     255.00  
2   15     -34.75  
3   26     105.00  
4   32     125.00  
5   38    -605.15  
【００６０】
（数値実施例２）
面番号      r          d         nd        vd      θgF     有効径    焦点距離
1      270.17928   15.13046   1.433870   95.10    0.5373    130.169    407.710
2     -507.30992    0.20171   1.000000    0.00    0.0000    129.580      0.000
3      195.46941   13.65616   1.433870   95.10    0.5373    124.249    481.146
4     2899.45736    9.30808   1.000000    0.00    0.0000    122.342      0.000
5     -479.70303    3.00000   1.800000   29.84    0.6017    119.105   -388.923
6      908.20312    0.96409   1.000000    0.00    0.0000    117.139      0.000
7      295.93269   11.79869   1.433870   95.10    0.5373    115.660    440.626
8     -537.32876    1.45510   1.000000    0.00    0.0000    114.642      0.000
9      158.77485   11.37494   1.433870   95.10    0.5373    106.811    465.192
10      721.42143    2.11266   1.000000    0.00    0.0000    104.386      0.000
11      774.60480    7.65730   1.800000   29.84    0.6017    102.789    316.577
12     -379.05422    2.20000   1.743198   49.34    0.5530    101.523   -170.137
13      191.59077     (可変)   1.000000    0.00    0.0000     95.371      0.000
14      306.46548    6.29897   1.720467   34.70    0.5834     46.492     98.717
15      -92.63364    1.80000   1.772499   49.60    0.5521     44.594    -41.170
16       49.20051    6.82093   1.000000    0.00    0.0000     38.932      0.000
17      -97.47695    1.50000   1.595220   67.74    0.5442     38.473    -82.245
18       99.61135    0.15000   1.000000    0.00    0.0000     37.660      0.000
19       69.28990    5.66183   1.800000   29.84    0.6017     37.640     59.953
20     -154.06464    1.00000   1.496999   81.54    0.5374     37.136   -175.321
21      202.36374    3.49735   1.000000    0.00    0.0000     36.056      0.000
22      -62.48999    1.40000   1.595220   67.74    0.5442     36.038    -82.553
23      235.75049     (可変)   1.000000    0.00    0.0000     35.802      0.000
24      108.87034    6.22491   1.595220   67.74    0.5442     41.732     78.622
25      -80.81998    1.50000   1.834000   37.16    0.5775     41.823    -94.228
26     3721.87578    0.20000   1.000000    0.00    0.0000     42.359      0.000
*27      204.87400    4.21540   1.583126   59.38    0.5423     42.639    143.950
*28     -142.08754     (可変)   1.000000    0.00    0.0000     42.768      0.000
29      210.29170    4.22394   1.487490   70.23    0.5300     42.592    176.200
30     -145.08052    0.20000   1.000000    0.00    0.0000     42.449      0.000
31       74.94026    1.50000   1.720467   34.70    0.5834     41.129   -126.894
32       40.96106    7.05734   1.496999   81.54    0.5374     39.624     84.510
33     1398.05586     (可変)   1.000000    0.00    0.0000     38.991      0.000
34(絞り)  0.00000   10.53028   1.000000    0.00    0.0000     28.093      0.000
35      126.06891    1.40000   1.882997   40.76    0.5667     23.147    -62.020
36       38.13355    0.15000   1.000000    0.00    0.0000     22.330      0.000
37       28.91783    4.11703   1.805181   25.42    0.6161     22.279     35.238
38    -2749.18415    1.09107   1.000000    0.00    0.0000     21.525      0.000
39     -286.78566    1.50000   1.910820   35.25    0.5824     20.805    -28.586
40       28.92117   33.00000   1.000000    0.00    0.0000     19.622      0.000
41       70.74415    6.88294   1.496999   81.54    0.5374     30.454     62.449
42      -53.78764    5.53775   1.000000    0.00    0.0000     30.680      0.000
43     -109.72301    4.00000   1.882997   40.76    0.5667     29.415    -35.634
44       45.23886    8.00963   1.603420   38.03    0.5835     29.636     39.386
45      -47.34010    0.15000   1.000000    0.00    0.0000     30.120      0.000
46     -115.77129    5.47766   1.501372   56.42    0.5533     29.869     93.498
47      -33.99699    3.00000   1.882997   40.76    0.5667     29.828    -68.273
48      -80.59641     （BF）   1.000000    0.00    0.0000     30.746      0.000
像面        ∞  
非球面データ
第27面
K = 1.58925e+001  A 4=-7.43425e-007  A 6= 1.04684e-010  A 8= 2.14168e-013  A10=-8.73048e-016  A12= 1.85388e-018  
第28面
K =-1.09433e+001  A 4=-3.39181e-007  A 6= 3.00641e-010  A 8=-2.80726e-013  A10= 1.32329e-016  A12= 1.13931e-018  
各種データ
ズーム比     15.00 
広角     中間     望遠
焦点距離      60.00   240.00   900.00  
Fナンバー      4.50     4.50     7.00  
半画角        14.53     3.71     0.99  
像高          15.55    15.55    15.55  
レンズ全長   458.15   458.15   458.15  
BF            65.00    65.00    65.00  
d13           17.12    86.73   128.82  
d23          130.97    57.75     1.67  
d28           25.40     8.04    37.61  
d33            2.70    23.67     8.09  
ズームレンズ群データ
群  始面    焦点距離  
1    1     245.59  
2   14     -34.00  
3   24     110.00  
4   29     105.00  
5   34    -361.71  
【００６１】
（数値実施例３）
面番号      r          d         nd        vd      θgF     有効径    焦点距離
1    14683.19138    4.28544   1.487490   70.23    0.5300    100.000   1721.757
2     -893.35269    0.70000   1.000000    0.00    0.0000     99.993      0.000
3      362.01860   11.51442   1.433870   95.10    0.5373     99.670    332.370
4     -238.35968    0.35944   1.000000    0.00    0.0000     99.317      0.000
5     -231.46543    2.50000   2.001000   29.13    0.5997     99.238   -427.694
6     -501.88128    8.57177   1.000000    0.00    0.0000     99.455      0.000
7      240.55692   10.07997   1.433870   95.10    0.5373     97.514    364.940
8     -460.74683    0.20000   1.000000    0.00    0.0000     96.985      0.000
9      144.71298   12.03462   1.438750   94.93    0.5343     92.816    263.769
10     -570.27449    2.40000   1.834000   37.16    0.5775     91.583   -769.155
11    -4898.86844    1.00000   1.000000    0.00    0.0000     90.227      0.000
12      619.25437    7.09837   1.800000   29.84    0.6017     88.390    265.204
13     -324.96638    2.30000   1.772499   49.60    0.5521     87.309   -178.464
14      242.19484     (可変)   1.000000    0.00    0.0000     83.470      0.000
15     -178.55461    1.20000   1.816000   46.62    0.5568     37.386    -47.096
16       49.43883    5.59373   1.000000    0.00    0.0000     35.028      0.000
17      -71.20411    1.20000   1.496999   81.54    0.5374     34.990   -117.033
18      324.58556    0.10000   1.000000    0.00    0.0000     35.168      0.000
19      107.25329    6.59981   1.720467   34.70    0.5834     35.303     44.268
20      -44.64885    1.20000   1.496999   81.54    0.5374     35.198    -58.246
21       83.75158    0.10000   1.000000    0.00    0.0000     33.794      0.000
22       55.75224    2.24505   1.720467   34.70    0.5834     33.679    264.958
23       77.20356    3.84124   1.000000    0.00    0.0000     33.200      0.000
24      -75.98380    1.20000   1.496999   81.54    0.5374     33.148   -145.873
25     1696.98389     (可変)   1.000000    0.00    0.0000     33.097      0.000
26    10721.79237    4.47902   1.516330   64.14    0.5352     38.162    122.892
27      -64.06026    0.20000   1.000000    0.00    0.0000     38.506      0.000
28      -66.50266    1.00000   1.720467   34.70    0.5834     38.514   -107.550
*29     -453.51248    0.20000   1.000000    0.00    0.0000     39.451      0.000
30      102.12806    6.96953   1.438750   94.93    0.5343     40.558     98.351
31      -73.48540     (可変)   1.000000    0.00    0.0000     40.893      0.000
32       75.33389    5.78775   1.438750   94.93    0.5343     40.711    126.948
33     -210.70991    0.20000   1.000000    0.00    0.0000     40.346      0.000
34       56.18515    1.00000   1.720467   34.70    0.5834     38.729    -92.170
35       30.30107    7.72184   1.516330   64.14    0.5352     36.804     63.732
36      334.95037     (可変)   1.000000    0.00    0.0000     36.043      0.000
37(絞り)  0.00000    3.42568   1.000000    0.00    0.0000     27.363      0.000
38      -76.00199    1.00000   1.882997   40.76    0.5667     26.135    -44.367
39       82.33763    4.78571   1.728250   28.46    0.6077     25.808     45.929
40      -55.71617    1.50000   1.000000    0.00    0.0000     25.614      0.000
41     -381.14533    1.00000   1.834807   42.73    0.5648     24.140   -108.480
42      119.79483    0.50000   1.000000    0.00    0.0000     23.697      0.000
43       20.43624    3.50000   1.717362   29.50    0.6048     22.717     86.590
44       28.15792    1.69497   1.000000    0.00    0.0000     21.225      0.000
45       84.59384    1.00000   1.882997   40.76    0.5667     21.053    -53.858
46       30.38613   35.00000   1.000000    0.00    0.0000     20.141      0.000
47      -36.11799    4.82364   1.438750   94.93    0.5343     24.588     73.242
48      -17.72245    1.00000   1.834807   42.73    0.5648     25.142    -49.165
49      -31.85952    0.50000   1.000000    0.00    0.0000     27.172      0.000
50       65.20672    1.00000   1.834807   42.73    0.5648     29.231    -55.093
51       26.86796    6.87418   1.517417   52.43    0.5564     29.218     43.868
52     -137.45767    0.50000   1.000000    0.00    0.0000     29.715      0.000
53       28.89595    3.99950   1.516330   64.14    0.5352     31.634    138.643
54       46.05030     （BF）   1.000000    0.00    0.0000     31.149      0.000
像面        ∞  
非球面データ
第29面
K = 1.99297e+002  A 4= 8.40121e-007  A 6= 5.66873e-010  A 8=-1.71055e-012  A10= 4.35647e-015  A12=-3.59753e-018  
各種データ
ズーム比     10.00 
広角     中間     望遠
焦点距離      50.00   200.00   500.00  
Fナンバー      4.00     4.00     5.00  
半画角        17.28     4.45     1.78  
像高          15.55    15.55    15.55  
レンズ全長   376.01   376.01   376.01  
BF            44.09    44.09    44.09  
d14            3.45    85.24   113.85  
d25          100.00    38.45     1.59  
d31           40.00     5.99    13.31  
d36            2.49    16.26    17.19  
ズームレンズ群データ
群  始面    焦点距離  
1    1     205.00  
2   15     -34.50  
3   26     110.50  
4   32      80.00  
5   37    -159.71  
【００６２】
（数値実施例４）
面番号      r          d         nd        vd      θgF     有効径    焦点距離
1      326.67857   15.75842   1.433870   95.10    0.5373    140.491    444.392
2     -466.47547    0.70000   1.000000    0.00    0.0000    139.266      0.000
3      230.77526   14.96465   1.433870   95.10    0.5373    129.287    400.768
4     -698.54118    1.00000   1.000000    0.00    0.0000    128.099      0.000
5     -508.72076    4.00000   1.720467   34.70    0.5834    128.179   -337.657
6      473.91513    7.39981   1.000000    0.00    0.0000    124.692      0.000
7      524.01780    9.36516   1.433870   95.10    0.5373    122.616    661.210
8     -634.00814    0.15000   1.000000    0.00    0.0000    121.818      0.000
9      141.42849   15.45709   1.438750   94.93    0.5343    114.688    304.168
10    -2394.32576    2.50000   1.720467   34.70    0.5834    113.156  -1081.591
11     1167.46931    1.21229   1.000000    0.00    0.0000    111.049      0.000
12     1513.69755    4.90614   1.854780   24.80    0.6121    110.359    577.489
13     -741.75658    2.20000   1.618000   63.33    0.5441    109.554   -301.969
14      250.89124     (可変)   1.000000    0.00    0.0000    104.471      0.000
*15      399.99280    2.00000   1.816000   46.62    0.5568     53.397    -73.464
16       52.24705    9.67114   1.000000    0.00    0.0000     47.225      0.000
17      -68.98087    1.50000   1.595220   67.74    0.5442     47.360    -68.812
18      102.52955    0.80000   1.000000    0.00    0.0000     45.877      0.000
19      136.99502    7.39188   1.720467   34.70    0.5834     45.875     65.381
20      -70.89345    1.50000   1.595220   67.74    0.5442     45.622    -65.260
21       87.27916    0.20000   1.000000    0.00    0.0000     43.852      0.000
*22       61.79860    6.83810   1.720467   34.70    0.5834     43.785     69.887
23     -269.03086    2.31018   1.000000    0.00    0.0000     43.138      0.000
24      -70.70437    1.90000   1.595220   67.74    0.5442     43.311    -66.658
25       92.05492     (可変)   1.000000    0.00    0.0000     41.842      0.000
26      465.31833    4.92170   1.595220   67.74    0.5442     49.861    143.380
27     -104.54692    0.20000   1.000000    0.00    0.0000     50.141      0.000
28      -95.23894    1.80000   1.834000   37.16    0.5775     50.133   -142.254
*29     -474.76565    0.20000   1.000000    0.00    0.0000     51.469      0.000
30      145.94554    8.21762   1.496999   81.54    0.5374     53.027    109.259
31      -85.25411     (可変)   1.000000    0.00    0.0000     53.316      0.000
32      103.02061    5.56834   1.595220   67.74    0.5442     52.181    150.827
33     -703.36095    0.20000   1.000000    0.00    0.0000     51.803      0.000
34       89.83478    1.80000   1.720467   34.70    0.5834     50.110   -110.447
35       41.99222    0.16549   1.000000    0.00    0.0000     47.460      0.000
36       42.51067    8.55432   1.496999   81.54    0.5374     47.468     82.867
37    -1359.32426     (可変)   1.000000    0.00    0.0000     47.086      0.000
38(絞り)  0.00000    2.50000   1.000000    0.00    0.0000     31.098      0.000
39     -163.06739    1.60000   1.639999   60.08    0.5370     30.114    -82.140
40       78.33421    0.10000   1.000000    0.00    0.0000     29.207      0.000
41       26.40020    4.11138   1.531717   48.84    0.5630     28.721     83.119
42       61.56760    0.96556   1.000000    0.00    0.0000     27.936      0.000
43      150.41160    1.60000   1.772499   49.60    0.5521     27.930    -64.121
44       37.22289   21.33094   1.000000    0.00    0.0000     26.573      0.000
45      171.59368    1.60000   1.882997   40.76    0.5667     25.107    -34.393
46       25.81664    6.10167   1.698947   30.13    0.6029     25.391     29.502
47      -96.15077   21.91788   1.000000    0.00    0.0000     25.766      0.000
48       47.42133    2.60000   1.882997   40.76    0.5667     29.452    -74.692
*49       26.94011    3.46433   1.000000    0.00    0.0000     28.538      0.000
50       45.25765    8.84848   1.501372   56.42    0.5533     29.709     42.157
51      -37.35449    1.60000   1.882997   40.76    0.5667     30.004    -45.343
52     -526.08631    0.20000   1.000000    0.00    0.0000     31.124      0.000
53       50.27100   11.66669   1.501372   56.42    0.5533     32.437     35.502
54      -25.58199    1.60000   1.882997   40.76    0.5667     32.551    -50.512
55      -61.27756     （BF）   1.000000    0.00    0.0000     34.280      0.000
像面        ∞  
非球面データ
第15面
K = 9.56606e+000  A 4=-2.38525e-007  A 6= 3.05939e-010  A 8= 1.73334e-013  A10=-4.06823e-016  A12= 3.14889e-019  
第22面
K = 9.14684e-001  A 4= 3.44432e-007  A 6=-6.79631e-010  A 8=-1.94799e-014  A10= 4.71804e-016  A12=-6.96922e-019  
第29面
K = 1.77658e+001  A 4= 3.76174e-007  A 6=-3.85412e-011  A 8= 1.69970e-013  A10=-2.14148e-016  A12= 1.04959e-019  
第52面
K =-1.07821e+000  A 4= 5.89784e-007  A 6=-3.15957e-009  A 8= 1.97960e-011  A10=-1.60622e-013  A12= 2.81140e-016  
各種データ
ズーム比     20.00 
広角     中間     望遠
焦点距離      50.00   200.00  1000.00  
Fナンバー      4.50     4.50     7.50  
半画角        23.40     6.18     1.24  
像高          21.64    21.64    21.64  
レンズ全長   479.16   479.16   479.16  
BF            61.37    61.37    61.37  
d14            1.21    74.31   125.17  
d25          141.34    55.50     0.84  
d31           36.46    21.70     5.01  
d37            1.62    29.12    49.61  
ズームレンズ群データ
群  始面    焦点距離  
1    1     235.00  
2   15     -30.85  
3   26     110.00  
4   32     105.00  
5   38    -110.47  
【００６３】
（数値実施例５）
面番号      r          d         nd        vd      θgF     有効径    焦点距離
1      307.55163   17.57143   1.433870   95.10    0.5373    149.996    451.344
2     -533.39025    0.70000   1.000000    0.00    0.0000    149.539      0.000
3      283.38566   19.58639   1.433870   95.10    0.5373    144.216    367.735
4     -359.52266    1.00394   1.000000    0.00    0.0000    142.980      0.000
5     -350.09799    4.00000   1.720467   34.70    0.5834    142.255   -339.417
6      833.68327   25.29114   1.000000    0.00    0.0000    138.659      0.000
7      277.14461   13.82768   1.433870   95.10    0.5373    129.141    522.598
8    -1244.99211    0.20000   1.000000    0.00    0.0000    127.470      0.000
9      188.53605   12.94197   1.433870   95.10    0.5373    120.593    430.399
10   -25989.26163    2.50000   1.720467   34.70    0.5834    118.771  -1254.775
11      943.26663    2.94687   1.000000    0.00    0.0000    116.579      0.000
12     2527.57480    8.10238   1.761821   26.52    0.6135    115.129    447.924
13     -398.00062    2.20000   1.618000   63.33    0.5441    113.597   -239.450
14      237.48185     (可変)   1.000000    0.00    0.0000    107.043      0.000
*15     -425.16053    1.80000   1.754998   52.32    0.5476     46.002   -120.203
16      116.26240    6.91604   1.000000    0.00    0.0000     43.489      0.000
17      -77.43514    1.50000   1.595220   67.74    0.5442     41.934    -71.657
18       96.39345    6.90387   1.720467   34.70    0.5834     40.434     56.038
19      -68.17358    1.50000   1.000000    0.00    0.0000     40.005      0.000
20      -70.21381    1.50000   1.595220   67.74    0.5442     38.049    -57.436
21       67.62333    4.23715   1.720467   34.70    0.5834     35.815     92.341
22    -6881.20455    2.86458   1.000000    0.00    0.0000     35.172      0.000
23      -56.49108    1.40000   1.595220   67.74    0.5442     35.115    -59.347
24       96.05248     (可変)   1.000000    0.00    0.0000     34.430      0.000
25      106.06442    7.16064   1.618000   63.33    0.5441     46.688     82.278
26      -95.83925    0.12492   1.000000    0.00    0.0000     46.737      0.000
27     -104.32654    1.50000   1.834000   37.16    0.5775     46.634   -110.930
*28      871.36349    0.20000   1.000000    0.00    0.0000     46.934      0.000
29       81.28697    5.70154   1.496999   81.54    0.5374     47.635    153.268
30    -1240.33801     (可変)   1.000000    0.00    0.0000     47.512      0.000
*31      123.98329    6.47892   1.487490   70.23    0.5300     47.027    118.458
32     -106.91516    0.20000   1.000000    0.00    0.0000     46.694      0.000
33      319.00503    1.50000   1.720467   34.70    0.5834     44.905   -124.926
34       70.43254    6.03125   1.496999   81.54    0.5374     43.469    119.239
35     -369.81289     (可変)   1.000000    0.00    0.0000     42.874      0.000
36(絞り)  0.00000    8.63110   1.000000    0.00    0.0000     33.266      0.000
37      361.88964    1.40000   1.882997   40.76    0.5667     28.053    -31.579
38       25.98178    5.71981   1.761821   26.52    0.6135     26.443     30.235
39     -199.02059    3.00000   1.000000    0.00    0.0000     25.962      0.000
40     -331.36717    1.50000   2.003300   28.27    0.5980     23.925    -49.856
41       59.63035   30.00000   1.000000    0.00    0.0000     23.167      0.000
*42       58.84110    4.66497   1.517417   52.43    0.5564     25.147     55.540
43      -55.13321    0.75000   1.000000    0.00    0.0000     25.010      0.000
44      -66.59470    4.00000   1.882997   40.76    0.5667     24.623    -22.456
45       29.27488    6.36072   1.603420   38.03    0.5835     24.517     29.695
46      -43.08869    1.50000   1.000000    0.00    0.0000     24.791      0.000
47      -94.91780    4.20692   1.517417   52.43    0.5564     24.473     68.670
48      -26.33176    3.00000   1.834807   42.71    0.5642     24.486    -51.269
49      -71.36289     （BF）   1.000000    0.00    0.0000     25.385      0.000
像面        ∞  
非球面データ
第15面
K =-1.85753e+002  A 4= 8.14403e-007  A 6= 8.72314e-011  A 8= 7.71433e-013  A10=-1.72911e-015  A12= 1.37509e-018  
第28面
K = 7.34242e+002  A 4= 3.16380e-007  A 6= 8.34068e-011  A 8=-3.51830e-013  A10= 5.94163e-016  A12=-4.65419e-019  
第31面
K =-6.36723e+000  A 4=-5.33965e-007  A 6=-4.59300e-011  A 8= 3.58485e-014  A10= 1.31143e-016  A12=-1.64997e-019  
第42面
K = 3.06784e+000  A 4= 1.08776e-006  A 6=-1.98897e-009  A 8= 2.90074e-011  A10=-1.43531e-013  A12= 2.37788e-016  
各種データ
ズーム比     30.00 
広角     中間     望遠
焦点距離      50.00   500.00   1500.00  
Fナンバー      4.50     5.00    10.00  
半画角        15.64     1.60     0.53  
像高          14.00    14.00    14.00  
レンズ全長   520.83   520.83   520.83  
BF            70.00    70.00    70.00  
d14            3.03   121.51   142.94  
d24          185.06    59.90     3.00  
d30           17.62     1.94    55.46  
d35            2.00    24.34     6.30  
ズームレンズ群データ
群  始面    焦点距離  
1    1     270.00  
2   15     -32.50  
3   25     103.00  
4   31     113.50  
5   36     -88.23  
【００６４】
（数値実施例６）
面番号      r          d         nd        vd      θgF     有効径    焦点距離
1      296.53152    4.00000   1.712995   53.87    0.5458    142.858   -823.871
2      196.23701    1.00000   1.000000    0.00    0.0000    141.132      0.000
3      206.15767   17.70419   1.433870   95.10    0.5373    141.199    400.193
4    -1089.16753    0.20000   1.000000    0.00    0.0000    140.948      0.000
5      356.13631    4.00000   1.743198   49.34    0.5530    139.269   -277.640
6      130.41565    0.15000   1.000000    0.00    0.0000    134.928      0.000
7      129.45681   15.54802   1.433870   95.10    0.5373    135.092    446.030
8      374.92795   13.54253   1.000000    0.00    0.0000    134.873      0.000
9      155.29485   18.86311   1.433870   95.10    0.5373    135.785    339.935
10    -2973.97397    0.20000   1.000000    0.00    0.0000    135.140      0.000
11      150.08297   14.42543   1.433870   95.10    0.5373    128.939    443.558
12      656.09723     (可変)   1.000000    0.00    0.0000    127.278      0.000
13    -1581.09064    1.80000   1.816000   46.62    0.5568     49.507    -52.360
14       44.16547    9.90829   1.000000    0.00    0.0000     44.328      0.000
15      -66.23190    1.50000   1.496999   81.54    0.5374     44.292   -134.054
16    -7582.68151    0.15000   1.000000    0.00    0.0000     44.615      0.000
17       78.57682    8.73981   1.720467   34.70    0.5834     44.922     53.821
18      -73.96482    1.50000   1.496999   81.54    0.5374     44.520    -88.827
19      111.05326    0.20000   1.000000    0.00    0.0000     42.214      0.000
20       46.38655    3.91260   1.720467   34.70    0.5834     41.294    171.759
21       71.27968    4.70907   1.000000    0.00    0.0000     40.158      0.000
22     -116.93181    1.40000   1.595220   67.74    0.5442     40.105    -76.194
23       74.84737     (可変)   1.000000    0.00    0.0000     38.894      0.000
24      117.28808    6.98179   1.618000   63.33    0.5441     44.080     79.825
25      -83.74630    0.15000   1.000000    0.00    0.0000     44.168      0.000
26      -84.76803    1.50000   1.834000   37.16    0.5775     44.116    -98.094
*27     2888.86663    0.20000   1.000000    0.00    0.0000     44.583      0.000
28       99.34248    5.58632   1.496999   81.54    0.5374     45.190    139.777
29     -228.91625     (可変)   1.000000    0.00    0.0000     45.184      0.000
30      307.57238    4.08165   1.487490   70.23    0.5300     44.776    224.345
31     -169.86545    0.20000   1.000000    0.00    0.0000     44.564      0.000
32       74.84159    1.50000   1.720467   34.70    0.5834     43.061   -154.226
33       44.46471    0.85000   1.000000    0.00    0.0000     41.557      0.000
34       49.40372    6.01491   1.496999   81.54    0.5374     41.557     -1.#IO
35        0.00000     (可変)   1.000000    0.00    0.0000     41.124      0.000
36(絞り)  0.00000   10.52322   1.000000    0.00    0.0000     29.612      0.000
37      259.95225    1.40000   1.882997   40.76    0.5667     24.638    -55.642
38       41.41924    0.15000   1.000000    0.00    0.0000     23.824      0.000
39       32.89909    4.21323   1.805181   25.42    0.6161     23.817     39.648
40    -1471.23937    4.50275   1.000000    0.00    0.0000     23.144      0.000
41     -204.34876    1.50000   1.910820   35.25    0.5824     20.271    -31.947
42       34.31624   33.00000   1.000000    0.00    0.0000     19.376      0.000
43       63.14969    6.66912   1.496999   81.54    0.5374     30.386     63.166
44      -60.58599    5.51773   1.000000    0.00    0.0000     30.552      0.000
45      -92.46799    4.00000   1.882997   40.76    0.5667     29.451    -32.760
46       43.31702    7.95980   1.603420   38.03    0.5835     29.922     39.436
47      -49.82488    0.15000   1.000000    0.00    0.0000     30.512      0.000
48      162.75165    5.38663   1.501372   56.42    0.5533     30.317     69.768
49      -44.29892    3.00000   1.882997   40.76    0.5667     30.107    -61.901
50     -235.34177     （BF）   1.000000    0.00    0.0000     30.447      0.000
像面        ∞  
非球面データ
第27面
K = 7.88437e+003  A 4= 3.70999e-007  A 6= 2.97099e-011  A 8=-1.13196e-013  A10= 1.01136e-016  A12=-4.55239e-020  
各種データ
ズーム比     20.00 
広角     中間     望遠
焦点距離      40.00   400.00   800.00  
Fナンバー      4.50     4.50     5.60  
半画角        21.24     2.23     1.11  
像高          15.55    15.55    15.55  
レンズ全長   488.14   488.14   488.14  
BF            64.42    64.42    64.42  
d12            2.73   113.53   127.29  
d23          162.00    45.39     7.70  
d29           18.69     3.86    43.33  
d35            1.81    22.45     6.91  
ズームレンズ群データ
群  始面    焦点距離  
1    1     205.00  
2   13     -34.00  
3   24     105.00  
4   30     125.00  
5   36    -317.30  
【００６５】
【表１】
2015212723.tif 000003
【００６６】
（撮像装置）
次に、各実施例に係るズームレンズを撮像光学系として用いた撮像装置について説明する。図１３は各実施例のズームレンズを撮影光学系として用いた撮像装置（テレビカメラシステム）の要部概略図である。図１３において１０１は実施例１〜６のいずれか１つのズームレンズである。
【００６７】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、ズーミングに際して移動する変倍部１１５、結像用のレンズ群１１６を有している。ＳＰは開口絞りである。ズーミングのためには移動しないレンズ群１１６は、光路中より挿抜可能な変倍光学系ＩＥを有している。
【００６８】
変倍部１１５には、光軸方向に駆動される為の駆動機構が備わっている。１１７、１１８は変倍部１１５及び開口絞りＳＰを電動駆動するモータ等の駆動手段である。尚、駆動機構を追加することでレンズ群１１４、１１５、１１６の全体、もしくは各レンズ群の一部は光軸方向に移動することによりフォーカシングを行うこともできる。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００６９】
以上、本発明の好ましい実施形態について説明したが、本発明はこれらの実施形態に限定されず、その要旨の範囲内で種々の変形及び変更が可能である。
【符号の説明】
【００７０】
Ｕ１    第１レンズ群
Ｕ２    第２レンズ群
Ｕ３    第３レンズ群
Ｕ４    第４レンズ群
Ｕ５    第５レンズ群
ＳＰ    絞り
ＩＰ    像面
【図１】
2015212723.tif 000004
【図２】
2015212723.tif 000005
【図３】
2015212723.tif 000006
【図４】
2015212723.tif 000007
【図５】
2015212723.tif 000008
【図６】
2015212723.tif 000009
【図７】
2015212723.tif 000010
【図８】
2015212723.tif 000011
【図９】
2015212723.tif 000012
【図１０】
2015212723.tif 000013
【図１１】
2015212723.tif 000014
【図１２】
2015212723.tif 000015
【図１３】
2015212723.tif 000016
【図１４】
2015212723.tif 000017
【図１５】
2015212723.tif 000018
【図１６】
2015212723.tif 000019